(57)【要約】      （修正有）【課題】日除けを外した状態での帽子の着用に際して日除けの取付手段が頭皮側に面することが無いようにするとともに、日除けを取り付けた状態での着用に際して髪の毛が日除けと帽子本体との間に入り込まないようにし、不具合無く着用できる良好な帽子を提供する。【解決手段】帽子本体２の外表面における一方の側部から後部を経て他方の側部に亘る下縁より上位置にして、かつ下縁に沿った方向に間隔をおいて複数の日除け取付手段５を設けて、日除け取付手段５に日除け３を着脱可能に取り付け、帽子本体２と日除け３との重ね合わせによりなる隙間を、帽子本体２の外表面側に形成した。【選択図】図１
0003146530.tif 000002
【実用新案登録請求の範囲】
【請求項１】
帽子本体の一方の側部から後部を経て他方の側部にかけて日除けが配置されている帽子において、
前記帽子本体の外表面における一方の側部から後部を経て他方の側部に亘る下縁より上位置にして、かつ前記下縁に沿った方向に間隔をおいて複数の日除け取付手段を設けて、該日除け取付手段に前記日除けが着脱可能に取り付けられ、帽子本体と前記日除けとの重ね合わせによりなる隙間が、帽子本体の外表面側に形成されていることを特徴とする帽子。
【考案の詳細な説明】
【技術分野】
【０００１】
本考案は日除けを有する帽子に関するものである。
【背景技術】
【０００２】
従来から屋外で利用する帽子については首筋の後ろなどを日光から保護する目的として日除けを有するものがある。そして、児童、学童用の帽子では、屋外ばかりでなく体育館などの屋内でも着用することから、日除けの部分を着脱できるようにした帽子もある。例えば、特許文献１に示されているように、帽子本体の一方の側部から後部を経て他方の側部にかけてその帽子本体の下縁の内表面側にスナップテープを設けるとともに、対応するスナップテープを日除けの上縁に設け、帽子本体と日除けの両者のスナップテープのスナップボタン部分を結合させることで、日除けを帽子本体に着脱可能に取り付けた工夫が提案されていた。
【特許文献１】実用新案登録第３１０３５９５号公報
【考案の開示】
【考案が解決しようとする課題】
【０００３】
しかしながら、日除けを着脱可能に配置している帽子においては、上述したように帽子本体の内側に日除けを取り付けるために、内表面側に一方のスナップテープが位置しており、日除けを取り外した状態で帽子を着用したときに帽子本体の布素材より固いスナップボタンが頭部に直接当接して、頭皮に違和感を与えてしまうという不具合がある。
また、日除けを取り付けた状態では、その日除けの上縁と帽子本体の下縁との間の隙間が帽子本体の内側に位置することになるため、帽子を被ったときに前記隙間に頭髪が入り込み、そして、帽子を脱ぐときに頭髪の一部が隙間から抜け出ずに引っ掛ってしまう虞があった。
そこで本考案は上記事情に鑑み、日除けを外した状態での帽子の着用に際して上述した取付手段が頭皮側に面することが無いようにするとともに、日除けを取り付けた状態での着用に際して髪の毛が日除けと帽子本体との間に入り込まないようにすることを課題とし、不具合無く着用できる良好な帽子を得ることを目的とするものである。
【課題を解決するための手段】
【０００４】
本考案は上記課題を考慮してなされたもので、帽子本体の一方の側部から後部を経て他方の側部にかけて日除けが配置されている帽子において、前記帽子本体の外表面における一方の側部から後部を経て他方の側部に亘る下縁より上位置にして、かつ前記下縁に沿った方向に間隔をおいて複数の日除け取付手段を設けて、該日除け取付手段に前記日除けが着脱可能に取り付けられ、帽子本体と前記日除けとの重ね合わせによりなる隙間が、帽子本体の外表面側に形成されていることを特徴とする帽子を提供して、上記課題を解消するものである。
【考案の効果】
【０００５】
本考案によれば、帽子本体に日除けを着脱可能に取り付けるための取付手段を帽子本体の内側とはせずに外表面側に位置させているので、帽子を被った際に取付手段が頭皮側に面することはなく、その取付手段が頭皮側に当接することによる違和感を生じさせない。
また、帽子本体と日除けとの重ね合わせでできる隙間が帽子本体の外表面側に形成されるので、帽子を着用しているときに髪の毛が前記隙間に入り込むようなことはなくなり、帽子を脱ぐ際に髪の毛が隙間に入り込んで引っ掛る虞がない。
さらに、日除けを取り付けるための取付手段を、帽子本体の下縁の位置とはせずにその上位の部分に設けているので、帽子サイズを調整するためのゴム材を用いた伸長部を従来通りの帽子本体の後部下縁の位置から変更する必要がない。
【考案を実施するための最良の形態】
【０００６】
つぎに本考案を図１と図２に示す実施の形態に基づいて詳細に説明する。
図中１は児童用の帽子で、該帽子１は帽子本体２とその帽子本体２の後部側に位置する日除け３とを備えてなるものである。帽子本体２は児童の頭部の標準形状に合わせた内被と外被とを組み合わせ、下縁の前方部分に鍔４を取り付けたものであり、図示したこの実施の形態では内被と外被とのそれぞれは、帽子前後方向に亘る三ヶ所を縫製位置として縫い合わされた四枚の布生地から形成されている。
【０００７】
上記日除け３は、帽子本体２の一方の側部から後部を経て他方の側部にかけて取り付けられるものである。この日除け３を取り付けるために、図示されているように帽子本体２に複数の日除け取付手段５が設けられていて、この日除け取付手段５は、帽子本体２の外被の表面、即ち、帽子本体２の外表面における一方の側部から後部を経て他方の側部に亘る下縁６より上位置にして、かつ前記下縁６に沿った方向に間隔をおいて位置する雌型のスナップボタン７からなるものである。
上記日除け取付手段５に上縁の部分が重なるようにして上記日除け３が配置されていて、その日除け３の上縁の対向面側にも、前記日除け取付手段５に着脱可能に結合する受け手段８が設けられていて、前記スナップボタン７に着脱可能に嵌めることのできる雄型のスナップボタン９からなるものである。
【０００８】
このように日除け３の上縁の帽子本体側の対向面側に、スナップボタン９からなる受け手段８が配置されていて、この受け手段８を上記日除け取付手段５に対応させて結合させることで日除け３が着脱可能にして帽子本体２に取り付けられている。
日除け取付手段５の雌型のスナップボタン７は、帽子本体２の一方の側部から後部を経て他方の側部にかかる長さのテープ材を基材にして一体とされているもので、前記テープ材を帽子本体２に縫い付けることで複数の取付手段５が配置され、また、受け手段８の雄型のスナップボタン９は、日除け３の上縁における帽子本体２側の対向面に亘る長さのテープ材を基材にして一体とされているものであり、そのテープ材を日除け３に縫い付けることで複数の受け手段８が日除け３に配置される。
【０００９】
上述したように本帽子１にあっては、日除け３を帽子本体２の外表面側に取り付けることから、前記日除け３と帽子本体２との間に形成される隙間１０は、帽子本体２の外方側に位置することとなる。そのため、帽子１を着用した状態でも髪の毛が前記隙間１０に入り込むことがなく、その帽子１を脱ぐときに髪の毛が隙間１０に入り込んだまま引っ掛るという不具合が生じない。
【００１０】
さらに本帽子１においては、上述したように日除け取付手段５が下縁６より上位置に設けられていて、その下縁６の上位で日除け３が帽子本体２に取付可能にして取り付けられている。そして、帽子本体２の後部での下縁６には、ゴム材を内設して帽子本体２の下縁周りに沿った方向に伸縮できる伸長部１１が位置しており、この伸長部１１と日除け取付手段５とが干渉しない配置としている。前記伸長部１１自体は従来から帽子本体２のサイズを調整できるようにしている部分であり、この伸長部１１の位置を変更する必要がないため、従来通りの製法でこの伸長部１１を設けることができる。
【００１１】
上記日除け３については屋外着用時に太陽光が首筋の背面側に当たるのを防止して首筋の背面の温度上昇を極力抑えることを目的とするものであるから、日除け３の素材としては通気性に富むとともに、光反射性が良好であれることが望ましく、例えば白色で目の細かいメッシュ状の布材が良好である。
【図面の簡単な説明】
【００１２】
【図１】本考案に係る帽子の一例を示す説明図である。
【図２】一例における日除けの取付を断面で示す説明図である。
【符号の説明】
【００１３】
１…帽子
２…帽子本体
３…日除け
４…鍔
５…日除け取付手段
６…下縁
７…雌型のスナップボタン
８…受け手段
９…雄型のスナップボタン
１０…隙間
【図１】
0003146530.tif 000003
【図２】
0003146530.tif 000004